(57)【特許請求の範囲】
【請求項１】
管理対象機器（５０ａ，５０ｂ，・・・）を管理する機器管理システム（１）であって、
前記管理対象機器との接続を可能にする接続部（３１）と、
前記接続部に以前に接続されていた前記管理対象機器である第１機器を識別する第１識別情報と、前記接続部に現在接続されている前記管理対象機器である第２機器を識別する第２識別情報とを表示する表示部（６３）と、
前記第１機器と前記第２機器との対応関係についての設定入力を受け付ける入力部（６４）と、
を備える、
機器管理システム（１）。
【請求項２】
前記第１識別情報と前記第１機器に関する機器情報とを関連付けて記憶する記憶部（３５）と、
前記入力部（６４）を介して前記第１機器と前記第２機器とを対応付けることが選択されると、前記記憶部に前記第２識別情報と前記機器情報とを関連付けて記憶させる登録部（６２，３２）と、
をさらに備える、
請求項１に記載の機器管理システム（１）。
【請求項３】
前記記憶部（３５）は、前記機器情報を前記第１識別情報に関連付けるリンク情報（Ｄ１）をさらに記憶し、
前記登録部（６２，３２）は、前記入力部（６４）を介して前記第１機器と前記第２機器とを対応付けることが選択されると、前記リンク情報を、前記機器情報を前記第２識別情報に関連付けるものに更新する、
請求項２に記載の機器管理システム（１）。
【請求項４】
前記表示部（６３）は、前記機器情報のうち前記第２機器に対応付けられるべき情報の選択を促す画面をさらに表示し、
前記入力部（６４）は、前記機器情報のうち前記第２機器に対応付けられるべき情報の選択を受け付ける、
請求項２又は３に記載の機器管理システム（１）。
【請求項５】
前記表示部（６３）は、前記第１識別情報と前記第２識別情報とを対にして表示する、
請求項１から４のいずれかに記載の機器管理システム（１）。
【請求項６】
管理対象機器（５０ａ，５０ｂ，・・・）および前記管理対象機器を管理する機器管理装置（３０）に接続され、前記管理対象機器の初期設定を行う機器設定装置（６０）であって、
前記機器管理装置に以前に接続されていた前記管理対象機器である第１機器を識別する第１識別情報と、前記機器管理装置に現在接続されている前記管理対象機器である第２機器を識別する第２識別情報とを表示する表示部（６３）と、
前記第１機器と前記第２機器との対応関係についての設定入力を受け付ける入力部（６４）と、
を備える、
機器設定装置（６０）。
【請求項７】
管理対象機器（５０ａ，５０ｂ，・・・）を管理する機器管理装置（３０）であって、
前記管理対象機器との接続を可能にする接続部（３１）と、
前記接続部に以前に接続されていた前記管理対象機器である第１機器を識別する第１識別情報と、前記第１機器に関する機器情報とを関連付けて記憶する記憶部（３５）と、
前記第１機器と前記接続部に現在接続されている前記管理対象機器である第２機器との対応関係を示す情報を取得する取得部（３２）と、
前記取得部によって取得された前記情報が前記第１機器と前記第２機器とを対応付けることを示している場合、前記記憶部に前記第２機器を識別する第２識別情報と前記機器情報とを関連付けて記憶させる登録部（３２）と、
を備える、
機器管理装置（３０）。
【請求項８】
管理対象機器（５０ａ，５０ｂ，・・・）を管理する管理装置（３０）と、
前記管理対象機器および前記管理装置に接続され、前記管理対象機器の初期設定を行う設定装置（６０）と、
を備え、
前記管理装置は、
前記管理対象機器との接続を可能にする接続部（３１）と、
前記接続部に以前に接続されていた前記管理対象機器である第１機器を識別する第１識別情報と、前記第１機器に関する機器情報とを関連付けて記憶する記憶部（３５）と、
を有し、
前記設定装置は、
前記第１識別情報と、前記接続部に現在接続されている前記管理対象機器である第２機器を識別する第２識別情報とを表示する表示部（６３）と、
前記第１機器と前記第２機器との対応関係についての設定入力を受け付ける入力部（６４）と、
前記入力部を介して前記第１機器と前記第２機器とを対応付けることが選択されると、前記記憶部に前記機器情報と前記第２識別情報とを関連付けて記憶させる登録部（６２）と、
を有する、
機器管理システム（１）。
【請求項９】
管理対象機器（５０ａ，５０ｂ，・・・）を機器管理システム（１）によって管理する機器管理方法であって、
前記機器管理システムに以前に接続されていた前記管理対象機器である第１機器を識別する第１識別情報と、前記機器管理システムに現在接続されている前記管理対象機器である第２機器を識別する第２識別情報とを表示する表示ステップと、
前記第１機器と前記第２機器との対応関係についての設定入力を受け付ける入力ステップと、
を備える、
機器管理方法。
【請求項１０】
管理対象機器（５０ａ，５０ｂ，・・・）を機器管理システム（１）に管理させるための機器管理プログラムであって、
前記機器管理システムに以前に接続されていた前記管理対象機器である第１機器を識別する第１識別情報と、前記機器管理システムに現在接続されている前記管理対象機器である第２機器を識別する第２識別情報とを表示する表示ステップと、
前記第１機器と前記第２機器との対応関係についての設定入力を受け付ける入力ステップと、
を前記機器管理システムに実行させる、
機器管理プログラム。
【発明の詳細な説明】
【技術分野】
【０００１】
本発明は、管理対象機器を管理するための機器管理システム、機器設定装置、機器管理装置、機器管理方法および機器管理プログラムに関する。
【背景技術】
【０００２】
従来より、空調機などの管理対象機器を、当該管理対象機器の遠隔に存在する遠隔管理サーバなどの機器管理装置からインターネットなどの通信回線を介して管理する機器管理サービスが利用されている（例えば、特許文献１）。このようなサービスでは、管理対象機器の監視データや制御データ、機器構成データなどの機器情報が、当該管理対象機器の管理目的で機器管理装置に保持されている。
【特許文献１】特開２００５−３０１９８２号公報
【発明の開示】
【発明が解決しようとする課題】
【０００３】
ところで、管理対象機器は、故障等の事情によってその一部または全部が交換されることがある。そうすると、交換前の機器に対応付けて保持されていた機器情報は、対応付けの対象となる機器がなくなってしまうため、有効に活用できなくなってしまう。そこで、交換後の機器を、交換前の機器と同様に引き続き機器管理サービスによって管理するためには、機器管理装置が旧機器に対応付けて保持している機器情報を新機器に引き継ぐことが重要になる。ところが、従来、このような引き継ぎを実行するためには、新機器を機器管理装置に登録した後、作業者が手作業で、機器管理装置上で新機器の交換元の旧機器に関する機器情報を検索し、新機器用の記憶領域にコピーしていた。
【０００４】
本発明の課題は、旧管理対象機器に関する機器情報を新管理対象機器に容易に引き継ぐことができる機器管理システム、機器設定装置、機器管理装置、機器管理方法および機器管理プログラムを提供することにある。
【課題を解決するための手段】
【０００５】
第１発明に係る機器管理システムは、接続部と、表示部と、入力部とを備え、管理対象機器を管理する。接続部は、管理対象機器との接続を可能にする。表示部は、第１識別情報と、第２識別情報とを表示する。第１識別情報は、第１機器を識別する情報である。第１機器は、接続部に以前に接続されていた管理対象機器である。第２識別情報は、第２機器を識別する情報である。第２機器は、接続部に現在接続されている管理対象機器である。入力部は、第１機器と第２機器との対応関係についての設定入力を受け付ける。
【０００６】
この機器管理システムは、この機器管理システムに以前に接続されていた旧機器（第１機器）と現在接続されている新機器（第２機器）との対応関係について、ユーザに入力を求める。すなわち、ユーザの入力に基づいて新旧の機器の対応関係を把握し、旧機器に関する機器情報を新機器に容易に引き継ぐことができる。
【０００７】
第２発明に係る機器管理システムは、第１発明に係る機器管理システムであって、記憶部と、登録部とをさらに備える。記憶部は、第１識別情報と第１機器に関する機器情報とを関連付けて記憶する。登録部は、入力部を介して第１機器と第２機器とを対応付けることが選択されると、記憶部に第２識別情報と機器情報とを関連付けて記憶させる。
【０００８】
この機器管理システムは、ユーザによって旧機器と新機器とを対応付けることが選択されると、旧機器の識別情報に関連付けられていた機器情報を自動的に新機器の識別情報に関連付けて記憶する。すなわち、旧機器に関する機器情報を新機器により容易に引き継ぐことができる。
【０００９】
第３発明に係る機器管理システムは、第２発明に係る機器管理システムであって、記憶部は、リンク情報をさらに記憶する。リンク情報は、機器情報を第１識別情報に関連付ける情報である。登録部は、入力部を介して第１機器と第２機器とを対応付けることが選択されると、リンク情報を、機器情報を第２識別情報に関連付けるものに更新する。
【００１０】
この機器管理システムは、ユーザによって旧機器と新機器とを対応付けることが選択されると、機器情報のリンク先を旧機器の識別情報（第１識別情報）から新機器の識別情報（第２識別情報）に書き代える。これにより、旧機器に関する機器情報を新機器により容易に引き継ぐことができる。
【００１１】
第４発明に係る機器管理システムは、第２発明又は第３発明に係る機器管理システムであって、表示部は、機器情報のうち第２機器に対応付けられるべき情報の選択を促す画面をさらに表示する。入力部は、機器情報のうち第２機器に対応付けられるべき情報の選択を受け付ける。
【００１２】
旧機器の機器情報には、例えば、運転状態、機器構成、運転スケジュール、機器名称に関するものなど、様々な情報が存在し得る。この機器管理システムは、旧機器の機器情報のうち、新機器に引き継ぐべき情報の選択をユーザに求める。これにより、旧機器から新機器に引き継ぐべき情報を取捨選択することができる。
【００１３】
第５発明に係る機器管理システムは、第１発明から第４発明のいずれかに係る機器管理システムであって、表示部は、第１識別情報と第２識別情報とを対にして表示する。
【００１４】
この機器管理システムは、新旧の機器の対応関係についての入力をユーザに求めるに当たり、表示部に新旧の機器の識別情報を対にして表示する。言い換えると、表示部に、新旧の機器の対応関係の候補が表示されることになる。これにより、ユーザが新旧の機器の対応関係を容易に設定することができる。
【００１５】
第６発明に係る機器設定装置は、表示部と、入力部とを備え、管理対象機器および機器管理装置に接続され、管理対象機器の初期設定を行う。なお、機器設定装置とは、例えば、主として管理対象機器の設置時にサービスマンなどの作業者により管理対象機器に接続される、管理対象機器の初期設定用の端末装置であり、機器管理装置とは、例えば、管理対象機器を遠隔から管理する遠隔管理装置である。機器管理装置は、管理対象機器を管理する。表示部は、第１識別情報と、第２識別情報とを表示する。第１識別情報は、第１機器を識別する情報である。第１機器は、機器管理装置に以前に接続されていた管理対象機器である。第２識別情報は、第２機器を識別する情報である。第２機器は、機器管理装置に現在接続されている管理対象機器である。入力部は、第１機器と第２機器との対応関係についての設定入力を受け付ける。
【００１６】
この機器設定装置は、機器管理装置に以前に接続されていた旧機器（第１機器）と現在接続されている新機器（第２機器）との対応関係について、ユーザに入力を求める。したがって、ユーザの入力に基づいて新旧の機器の対応関係を把握し、旧機器に関する機器情報を新機器に容易に引き継ぐことができる。
【００１７】
第７発明に係る機器管理装置は、接続部と、記憶部と、取得部と、登録部とを備え、管理対象機器を管理する。なお、機器管理装置とは、例えば、管理対象機器を遠隔から管理する遠隔管理装置である。接続部は、管理対象機器との接続を可能にする。記憶部は、第１識別情報と、第１機器に関する機器情報とを関連付けて記憶する。第１識別情報は、第１機器を識別する情報である。第１機器は、接続部に以前に接続されていた管理対象機器である。取得部は、第１機器と第２機器との対応関係を示す情報を取得する。第２機器は、接続部に現在接続されている管理対象機器である。登録部は、取得部によって取得された情報が第１機器と第２機器とを対応付けることを示している場合、記憶部に第２識別情報と機器情報とを関連付けて記憶させる。第２識別情報は、第２機器を識別する情報である。
【００１８】
この機器設定装置は、この機器管理装置に以前に接続されていた旧機器（第１機器）と現在接続されている新機器（第２機器）との対応関係について、ユーザに入力を求める。したがって、ユーザの入力に基づいて新旧の機器の対応関係を把握し、旧機器に関する機器情報を新機器に容易に引き継ぐことができる。
【００１９】
第８発明に係る機器管理システムは、管理装置と、設定装置とを備える。管理装置は、管理対象機器を管理する。設定装置は、管理対象機器および管理装置に接続され、管理対象機器の初期設定を行う。なお、管理装置とは、例えば、管理対象機器を遠隔から管理する遠隔管理装置であり、設定装置とは、例えば、主として管理対象機器の設置時にサービスマンなどの作業者により管理対象機器に接続される、管理対象機器の初期設定用の端末装置である。管理装置は、接続部と、記憶部とを有する。接続部は、管理対象機器との接続を可能にする。記憶部は、第１識別情報と、第１機器に関する機器情報とを関連付けて記憶する。第１識別情報は、第１機器を識別する情報である。第１機器は、接続部に以前に接続されていた管理対象機器である。設定装置は、表示部と、入力部と、登録部とを有する。表示部は、第１識別情報と、第２識別情報とを表示する。第２識別情報は、第２機器を識別する情報である。第２機器は、接続部に現在接続されている管理対象機器である。入力部は、第１機器と第２機器との対応関係についての設定入力を受け付ける。登録部は、入力部を介して第１機器と第２機器とを対応付けることが選択されると、記憶部に機器情報と第２識別情報とを関連付けて記憶させる。
【００２０】
この機器管理システムでは、設定装置が、管理装置に以前に接続されていた旧機器（第１機器）と現在接続されている新機器（第２機器）との対応関係について、ユーザに入力を求める。したがって、ユーザの入力に基づいて新旧の機器の対応関係を把握し、旧機器に関する機器情報を新機器に容易に引き継ぐことができる。
【００２１】
第９発明に係る機器管理方法は、管理対象機器を機器管理システムによって管理する方法であって、表示ステップと、入力ステップとを備える。表示ステップでは、第１識別情報と、第２識別情報とが表示される。第１識別情報は、機器管理システムに以前に接続されていた管理対象機器である第１機器を識別する情報である。第２識別情報は、機器管理システムに現在接続されている管理対象機器である第２機器を識別する情報である。入力ステップでは、第１機器と第２機器との対応関係についての設定入力が受け付けられる。
【００２２】
この機器管理方法では、機器管理システムに以前に接続されていた旧機器（第１機器）と現在接続されている新機器（第２機器）との対応関係について、ユーザに入力を求める。したがって、ユーザの入力に基づいて新旧の機器の対応関係を把握し、旧機器に関する機器情報を新機器に容易に引き継ぐことができる。
【００２３】
第１０発明に係る機器管理プログラムは、管理対象機器を機器管理システムに管理させるためのプログラムであって、表示ステップと、入力ステップとを機器管理システムに実行させる。表示ステップでは、第１識別情報と、第２識別情報とが表示される。第１識別情報は、機器管理システムに以前に接続されていた管理対象機器である第１機器を識別する情報である。第２識別情報は、機器管理システムに現在接続されている管理対象機器である第２機器を識別する情報である。入力ステップでは、第１機器と第２機器との対応関係についての設定入力が受け付けられる。
【００２４】
この機器管理プログラムが機器管理システムにおいて実行されると、機器管理システムに以前に接続されていた旧機器（第１機器）と現在接続されている新機器（第２機器）との対応関係について、ユーザは入力を求められることになる。したがって、ユーザの入力に基づいて新旧の機器の対応関係を把握し、旧機器に関する機器情報を新機器に容易に引き継ぐことができる。
【発明の効果】
【００２５】
第１発明に係る機器管理システムでは、ユーザの入力に基づいて新旧の機器の対応関係を把握し、旧機器に関する機器情報を新機器に容易に引き継ぐことができる。
【００２６】
第２発明に係る機器管理システムでは、旧機器に関する機器情報を新機器により容易に引き継ぐことができる。
【００２７】
第３発明に係る機器管理システムでは、旧機器に関する機器情報を新機器により容易に引き継ぐことができる。
【００２８】
第４発明に係る機器管理システムでは、旧機器から新機器に引き継ぐべき情報を取捨選択することができる。
【００２９】
第５発明に係る機器管理システムでは、ユーザが新旧の機器の対応関係を容易に設定することができる。
【００３０】
第６発明に係る機器設定装置では、ユーザの入力に基づいて新旧の機器の対応関係を把握し、旧機器に関する機器情報を新機器に容易に引き継ぐことができる。
【００３１】
第７発明に係る機器管理装置では、ユーザの入力に基づいて新旧の機器の対応関係を把握し、旧機器に関する機器情報を新機器に容易に引き継ぐことができる。
【００３２】
第８発明に係る機器管理システムでは、ユーザの入力に基づいて新旧の機器の対応関係を把握し、旧機器に関する機器情報を新機器に容易に引き継ぐことができる。
【００３３】
第９発明に係る機器管理方法では、ユーザの入力に基づいて新旧の機器の対応関係を把握し、旧機器に関する機器情報を新機器に容易に引き継ぐことができる。
【００３４】
第１０発明に係る機器管理プログラムでは、ユーザの入力に基づいて新旧の機器の対応関係を把握し、旧機器に関する機器情報を新機器に容易に引き継ぐことができる。
【発明を実施するための最良の形態】
【００３５】
以下、図面を参照して、本発明の一実施形態にかかる空調機５０ａ，５０ｂ，・・・（管理対象機器）の遠隔管理システム１（機器管理システム）について説明する。
【００３６】
＜全体構成＞
図１に、遠隔管理システム１の全体構成を示す。遠隔管理システム１は、遠隔管理センタ３に設置されている遠隔管理サーバ３０から物件２に設置されている複数の空調機５０ａ，５０ｂ，・・・を管理するシステムである。空調機５０ａ，５０ｂ，・・・と遠隔管理サーバ３０とは、インターネット６を介して相互に通信可能になっている。
【００３７】
物件２には、インターネット６と、物件２内に施設されているローカルエリアネットワーク（以下、ＬＡＮ）５ａとを中継するルータ４０が設置されている。ＬＡＮ５ａは、イーサネット（登録商標）に対応している。ＬＡＮ５ａに接続されている初期設定ツール６０は、空調機５０ａ，５０ｂ，・・・の初期設定を行うツールである。ＬＡＮ５ａには、空調機５０ａ，５０ｂ，・・・や初期設定ツール６０の他、物件２内で使用されるパソコン等の機器（図示されない）も接続可能である。
【００３８】
なお、簡単のために、図１においては物件２が１つしか示されていないが、実際には、遠隔管理システム１は、複数の物件２に設置されている空調機５０ａ，５０ｂ，・・・を管理しているものとする。
【００３９】
＜空調機＞
図１に示すように、空調機５０ａ，５０ｂ，・・・は、それぞれ空調機本体１０ａ，１０ｂ，・・・と、空調機本体１０ａ，１０ｂ，・・・をＬＡＮ５ａに接続するためのアダプタ２０ａ，２０ｂ，・・・とを有している。空調機本体１０ａ，１０ｂ，・・・とアダプタ２０ａ，２０ｂ，・・・とは、１対１で接続されている。
【００４０】
以下、図２を参照して、空調機５０ａの構成を説明するが、その他の空調機５０ｂ，・・・も、空調機５０ａと同様の構成を有しているものとする。
【００４１】
ａ）空調機本体
空調機本体１０ａは、図示されない室外機と、当該室外機に冷媒配管を介して接続される１または複数の室内機とを有しており、全体として、図示されない圧縮機や熱交換器等から構成される冷媒回路を有する１の系統を形成している。１または複数の室内機のうち、親機となる室内機のケーシング内の所定の位置には、アダプタ２０ａが取り外し可能な態様で取り付けられている。なお、本実施形態における空調機本体１０ａの室内機は、天井埋め込み型の室内機となっている。
【００４２】
空調機本体１０ａには、各種センサ１２ａ，１２ｂ，１２ｃ，１２ｄ，１２ｅ，・・・が取り付けられている。センサ１２ａは、空調機本体１０ａに含まれる親機となる室内機の設置されている部屋の温度を検出する。センサ１２ｂは、空調機本体１０ａに含まれる室外機の設置されている物件２付近の外気の温度を検出する。センサ１２ｃは、空調機本体１０ａに含まれる圧縮機（図示されない）の吐出管における冷媒の温度を検出する。センサ１２ｄは、空調機本体１０ａに含まれる圧縮機（図示されない）の吐出管における冷媒の圧力を検出する。センサ１２ｅは、空調機本体１０ａに含まれる圧縮機（図示されない）の吸入管における冷媒の圧力を検出する。
【００４３】
また、空調機本体１０ａは、制御部１１を有している。制御部１１は、リモコン１３を介して物件２内の一般の利用者から入力された運転指令に従って、空調機本体１０ａの運転を制御する、すなわち、冷媒回路に含まれる圧縮機等の被制御部品の動作を制御する。
【００４４】
制御部１１は、空調機本体１０ａに関する機器データをアダプタ２０ａに送信する。例えば、制御部１１は、所定の間隔（本実施形態では１分）で空調機本体１０ａの運転状態データ（機器データ）をアダプタ２０ａに送信する。運転状態データとは、例えば、各種センサ１２ａ，１２ｂ，１２ｃ，１２ｄ，１２ｅ，・・・の検出値である。また、制御部１１は、リモコン１３を介して運転指令が入力されると、直ちに当該入力された運転指令に基づくデータ（機器データ）をアダプタ２０ａに向けて送信する。運転指令に基づくデータとは、例えば、電源のオン・オフ、運転モード（冷房モード、暖房モード、送風モードなど）、設定温度および設定湿度などである。さらに、制御部１１は、所定の間隔（本実施形態では１分）で各種センサ１２ａ，１２ｂ，１２ｃ，１２ｄ，１２ｅ，・・・の検出値を所定の閾値と比較する等し、所定の閾値を超える等の異常を検出した場合には、その旨を示すデータ（機器データ）をアダプタ２０ａに向けて送信する。
【００４５】
また、制御部１１は、アダプタ２０ａから送られてくる制御命令を実行する。アダプタ２０ａから送られてくる制御命令には、例えば、空調機本体１０ａの起動・停止を命じたり、空調機本体１０ａの運転にかかる設定温度や設定湿度等の運転設定値の変更を命じたり、機器データをアダプタ２０ａに送るよう命じたりするものがある。
【００４６】
ｂ）アダプタ
一方、アダプタ２０ａは、空調機本体１０ａをイーサネット（登録商標）に対応したＬＡＮ５ａに接続するためのネットワークアダプタである。なお、空調機本体１０ａに含まれる被制御部品は、専用の通信ネットワーク５ｂを介して内部通信を行っているものとする。
【００４７】
アダプタ２０ａは、通信部２１と、制御部２２と、記憶部２５とを有している。通信部２１は、アダプタ２０ａの通信機能を担っており、ネットワーク５ａ，５ｂ間での通信プロトコルの相違を吸収する。
【００４８】
また、アダプタ２０ａは、ネットワーク５ａ，５ｂ間での通信プロトコルの変換機能の他、空調機本体１０ａを制御する制御機能を有している。記憶部２５には、空調機本体１０ａを制御するための制御データが記憶されており、制御部２２は、当該制御データに従って空調機本体１０ａの制御部１１に制御命令を送信する。例えば、記憶部２５に、毎朝９：００に空調機本体１０ａを起動し、毎晩２１：００に停止させるという運転スケジュールが登録されている場合には、制御部２２は、毎朝９：００に空調機本体１０ａの起動命令を空調機本体１０ａの制御部１１に送信し、毎晩２１：００に空調機本体１０ａの停止命令を空調機本体１０ａの制御部１１に送信する。
【００４９】
なお、記憶部２５に記憶されている運転スケジュール等の制御データに対しては、所定の認証処理を経た後に、インターネット６を介して遠隔管理サーバ３０から、あるいは、ＬＡＮ５ａを介して初期設定ツール６０からアクセス可能になっている。したがって、パスワード等によって認証された者は、記憶部２５に記憶されている空調機本体１０ａの運転スケジュール等の制御データを書き換えることができる。
【００５０】
また、記憶部２５には、機器データ記憶領域２５ａおよび日報データ記憶領域２５ｂが確保されている。機器データ記憶領域２５ａは、空調機本体１０ａの制御部１１から送られてくる空調機本体１０ａに関する機器データを記憶するための領域である。機器データ記憶領域２５ａは、機器データを所定の期間（本実施形態では３０分）分記憶しておくことが可能な程度の記憶容量しか有しておらず、新しい機器データが取得されるたびに、順次、最も古い機器データが消去されてゆくようになっている。
【００５１】
日報データ記憶領域２５ｂには、アダプタ２０ａから遠隔管理サーバ３０に向けて１日１回送信される日報データの元データが記憶されている。日報データとは、１日分の空調機本体１０ａの運転状態や運転履歴をまとめたデータであり、その１日の各種センサ１２ａ，１２ｂ，１２ｃ，１２ｄ，１２ｅ，・・・の検出値の最大値・最小値や、その１日の空調機本体１０ａの累積稼働時間などを含む。日報データ記憶領域２５ｂに記憶されている日報データの元データとは、最終的に遠隔管理サーバ３０に向けて送信されることになる日報データが完成する前の加工途中のデータである。日報データは、所定の間隔（本実施形態では３０分）で機器データ記憶領域２５ａの機器データに基づいて加工されてゆき、１日１回、所定の時間に通信部２１から遠隔管理サーバ３０に向けて送信されることになる。そして、日報データの遠隔管理サーバ３０への送信が完了すると、送信済みの日報データは日報データ記憶領域２５ｂから消去される。すなわち、日報データ記憶領域２５ｂは、新たに次の日の日報データを作成するために明け渡される。
【００５２】
また、制御部２２は、記憶部２５に記憶されている異常検出プログラムに従って、空調機本体１０ａにおける異常検出を行う。すなわち、制御部２２は、所定の間隔（本実施形態では５分）で機器データ記憶領域２５ａの機器データに基づいて、空調機本体１０ａにおける異常の有無を判定する。そして、実際に異常が検出されると、その旨を示すデータに、機器データ記憶領域２５ａに記憶されている過去の所定の期間（本実施形態では３０分）分の機器データを付加した異常発報データを作成し、遠隔管理サーバ３０に向けて直ちに送信する（異常発報）。また、制御部２２は、通信部２１が空調機本体１０ａの制御部１１から異常を検出した旨のデータを受信した場合にも、同様の異常発報データを作成し、遠隔管理サーバ３０に向けて直ちに送信する（異常発報）。
【００５３】
記憶部２５の不揮発性領域には、アダプタ２０ａのＭＡＣアドレスが記憶されている。また、記憶部２５の揮発性領域には、ルータ４０によってアダプタ２０ａに割り当てられたＩＰアドレスと、リモコン１３を介してサービスマン等の作業者により空調機本体１０ａに付与された系統アドレスとが保存されている。なお、ＭＡＣアドレスも、ＩＰアドレスも、ネットワーク５ａ，６上においてネットワーク機器を一意に識別するための情報である。一方、系統アドレスは、ＬＡＮ５ａ上において、空調機本体１０ａ，１０ｂ，・・・を一意に識別するための情報である。
【００５４】
＜ルータ＞
ルータ４０は、ＤＨＣＰ機能を有しており、ルータ４０に接続されている各アダプタ２０ａ，２０ｂ，・・・にＩＰアドレスを自動的に割り当てることができる。また、ルータ４０は、ファイアウォール機能を有しており、原則としてＷＡＮ（インターネット６）側からのＬＡＮ５ａ内の機器へのアクセスをブロックする。なお、ＬＡＮ５ａ内の機器からＬＡＮ５ａ外の機器への問い合わせの応答についてはこの限りではない。
【００５５】
＜初期設定ツール＞
次に、図３を参照して、初期設定ツール６０の構成を説明する。初期設定ツール６０は、原則的には空調機５０ａ，５０ｂ，・・・の初期設定時にのみ、サービスマンなどの作業者によってＬＡＮ５ａに接続される機器である。初期設定ツール６０は、Ｗｅｂブラウザのインストールされた通常のパーソナルコンピュータであり、通信部６１と、制御部６２と、表示部６３と、入力部６４と、記憶部６５とを有している。
【００５６】
通信部６１は、初期設定ツール６０の通信機能を担っており、初期設定ツール６０のＬＡＮ５ａおよびインターネット６への接続、すなわち、アダプタ２０ａ，２０ｂ，・・・および遠隔管理サーバ３０との通信を可能にしている。
【００５７】
制御部６２は、通信部６１を介して遠隔管理サーバ３０と通信しながら、空調機５０ａ，５０ｂ，・・・の初期設定を行う。初期設定の詳細については、後述する。
【００５８】
表示部６３は、サービスマンなどの初期設定ツール６０の操作者に視認可能なディスプレイであり、入力部６４は、当該操作者が初期設定ツール６０に対して操作命令を入力する際に用いられる。
【００５９】
＜遠隔管理サーバ＞
図４に示すように、遠隔管理サーバ３０は、通信部３１と、制御部３２と、出力部３３と、入力部３４と、記憶部３５とを有している。
【００６０】
通信部３１は、遠隔管理サーバ３０の通信機能を担っており、遠隔管理サーバ３０のインターネット６への接続、すなわち、空調機５０ａ，５０ｂ，・・・および初期設定ツール６０との通信を可能にしている。
【００６１】
記憶部３５には、空調機５０ａ，５０ｂ，・・・に関する各種データを蓄積するための様々なデータテーブルが定義されている。例えば、記憶部３５には、空調機５０ａ，５０ｂ，・・・から遠隔管理サーバ３０へとインターネット６を介して送られてくる日報データを蓄積する日報データテーブルや、異常発報データを蓄積する異常発報データテーブル等が存在している。空調機５０ａ，５０ｂ，・・・の異常への対処の結果等は、当該異常にかかる異常発報データに関連付けられて異常発報データテーブルに記憶される。また、記憶部３５には、機器構成データを格納しておくための機器構成データテーブルも設けられている。機器構成データとは、例えば、空調機本体１０ａ，１０ｂ，・・・に含まれる室外機や室内機の接続構成、機種番号および機器番号、空調機本体１０ａ，１０ｂ，・・・の機器名称、アダプタ２０ａ，２０ｂ，・・・のネットワーク情報、アダプタ２０ａ，２０ｂ，・・・に登録されている空調機本体１０ａ，１０ｂ，・・・の制御データ等であり、空調機５０ａ，５０ｂ，・・・の初期設定時等に初期設定ツール６０から遠隔管理サーバ３０へとインターネット６を介して送られてくる。
【００６２】
なお、図５に示すように、記憶部３５内の各データテーブルには、空調機５０ａ，５０ｂ，・・・に関する各種データが当該空調機５０ａ，５０ｂ，・・・のＭＡＣアドレスに関連付けられた態様で記憶される。データテーブルの列データＤ１は、データテーブルの各レコードに含まれる空調機５０ａ，５０ｂ，・・・に関する各種データと、空調機５０ａ，５０ｂ，・・・のＭＡＣアドレスとを関連付けるためのリンク情報となる。また、記憶部３５には、空調機５０ａ，５０ｂ，・・・のＭＡＣアドレスと、当該空調機５０ａ，５０ｂ，・・・が設置されている物件２とを対応付けるデータも記憶されている。
【００６３】
また、記憶部３５には、インターネット６を介してアクセスしてきた者を認証するための認証情報も記憶されている。
【００６４】
制御部３２は、記憶部３５に記憶されている空調機５０ａ，５０ｂ，・・・の遠隔管理プログラムを実行する。より具体的には、制御部３２は、インターネット６を介して送られてくる空調機５０ａ，５０ｂ，・・・に関する各種データに基づいて空調機５０ａ，５０ｂ，・・・における異常を検査したり、空調機５０ａ，５０ｂ，・・・の利用者に空調機５０ａ，５０ｂ，・・・の利用態様に関する報告書・提案書を作成したりする。また、遠隔管理サーバ３０を操作して、遠隔管理サーバ３０から空調機５０ａ，５０ｂ，・・・に対して制御命令を送ることも可能である。
【００６５】
出力部３３は、ディスプレイやスピーカ等から構成されており、制御部３２が空調機５０ａ，５０ｂ，・・・における異常を検出した場合には、遠隔管理サーバ３０の側にいる遠隔管理センタ３の職員に向けてその旨を報知する。例えば、空調機本体１０ａにおいて発生した異常の詳細（異常の種別や異常の発生した物件２の名称および住所等）等をディスプレイ上に表示したり、異常が発生した旨を知らせる音声をスピーカから流したりする。
【００６６】
入力部３４は、遠隔管理サーバ３０の操作者が遠隔管理サーバ３０に対して操作命令を入力する際に用いられる。
【００６７】
＜空調機の初期設定＞
以下、図６を参照して、サービスマン等の作業者による空調機５０ａ，５０ｂ，・・・の初期設定の流れを説明する。なお、ここでいう初期設定とは、物件２内に設置済みの空調機５０ａ，５０ｂ，・・・の機器構成データを遠隔管理サーバ３０に登録することをいう。なお、作業者は、空調機５０ａ，５０ｂ，・・・の設置時に、物件２内のどの場所にどのＭＡＣアドレスを有する空調機５０ａ，５０ｂ，・・・を設置したのかを確認し、メモをとっておく必要がある。遠隔管理システム１内では（より正確には、ネットワーク５ａ，６内では）、空調機５０ａ，５０ｂ，・・・がＭＡＣアドレスによって識別されるからである。以下では、物件２内の古い空調機の一部のみを新しい空調機へと交換した場合を例示する。
【００６８】
まず、ステップＳ２０において、空調機５０ａ，５０ｂ，・・・の初期設定を行う作業者は、初期設定ツール６０上にＷｅｂブラウザを立ち上げ、当該ブラウザ上で遠隔管理サーバ３０のＵＲＬを指定し、遠隔管理サーバ３０にアクセスする。これを受けて、遠隔管理サーバ３０は、アクセス元である初期設定ツール６０のブラウザにログイン画面を送る。当該ログイン画面は、遠隔管理サーバ３０へのアクセス権限を確認するためのＩＤおよびパスワードの入力を作業者に求める画面である。作業者が入力部６４を操作してログイン画面にＩＤ等を入力すると、入力されたＩＤ等は遠隔管理サーバ３０に送られる。遠隔管理サーバ３０側では、制御部３２が、記憶部３５内の認証情報に基づいて、初期設定ツール６０から送られてきたＩＤ等に対して許可されている機能を特定し、当該機能の実行を受け付けるボタン等の配置されたトップ画面を作成する。当該トップ画面は、初期設定ツール６０のＷｅｂブラウザに送られて表示部６３上に表示される。
【００６９】
以下、初期設定ツール６０の処理を担うプログラムは、Ｗｅｂブラウザ上で動作するＪＡＶＡ（登録商標）アプレットとして実装されており、遠隔管理サーバ３０から初期設定ツール６０のＷｅｂブラウザにダウンロードされるものとする。
【００７０】
続いて、ステップＳ２１では、作業者は、トップ画面上のボタンを操作して、空調機５０ａ，５０ｂ，・・・の新規登録画面に進む。なお、新規登録画面は、トップ画面と同様に、遠隔管理サーバ３０から初期設定ツール６０に送られる画面である。
【００７１】
新規登録画面上には、ＬＡＮ５ａに現在接続されている空調機５０ａ，５０ｂ，・・・の検索を受け付ける検索ボタンが設けられている。そして、作業者が当該ボタンを押すと、初期設定ツール６０の制御部６２は、ＬＡＮ５ａに現在接続されている全てのネットワーク機器に対して問い合わせを行い、その応答としてアダプタ２０ａ，２０ｂ，・・・から空調機５０ａ，５０ｂ，・・・のネットワーク情報（ＭＡＣアドレス、ＩＰアドレスおよび系統アドレス）を取得する。当該ネットワーク情報は、初期設定ツール６０の通信部６１からインターネット６を介して遠隔管理サーバ３０の通信部３１へと送信される。
【００７２】
続いて、ステップＳ２２では、遠隔管理サーバ３０の制御部３２が、記憶部３５内の機器構成データテーブルを参照して、ＬＡＮ５ａに以前に接続されていた空調機のネットワーク情報（ＭＡＣアドレス、ＩＰアドレスおよび系統アドレス）および機器名称を取得する。そして、制御部３２は、ＬＡＮ５ａ内の新旧の空調機のネットワーク情報等に基づいて、検索結果画面（図７参照）を作成する。検索結果画面は、ＬＡＮ５ａ内の空調機５０ａ，５０ｂ，・・・の検索結果を表示するとともに、検索された空調機５０ａ，５０ｂ，・・・の機器名称を設定し、これらの空調機５０ａ，５０ｂ，・・・と交換元の空調機とを対応付けるための画面である。
【００７３】
検索結果画面上には、ＬＡＮ５ａに現在接続されている空調機５０ａ，５０ｂ，・・・についての、Ｍ１）機器名称の設定入力を行うための入力ボックスと、Ｍ２）ＭＡＣアドレス表示欄と、Ｍ３）ＩＰアドレス表示欄と、Ｍ４）系統アドレス表示欄と、Ｍ５）登録を行うか否かを選択するためのチェックボックスと、Ｍ６）交換元の空調機を選択するためのプルダウンメニューとが表形式で同時に表示される。当該表の各行は、現在ＬＡＮ５ａ内に存在している各空調機５０ａ，５０ｂ，・・・に１対１で対応している。Ｍ２）〜Ｍ４）のＭＡＣアドレス欄、ＩＰアドレス欄および系統アドレス欄には、ステップＳ２１で検出されたネットワーク情報が表示される。Ｍ６）のプルダウンメニューのプルダウンリストは、以前ＬＡＮ５ａ内に存在していた空調機のＭＡＣアドレスをリスト化したものである。
【００７４】
制御部３２は、図７の検索結果画面の作成に当たり、ＬＡＮ５ａに現在接続されている空調機５０ａ，５０ｂ，・・・のＭＡＣアドレスと、ＬＡＮ５ａに以前に接続されていた空調機のＭＡＣアドレスとを比較する。そして、一致するものがあれば、そのＭＡＣアドレスがＭ２）ＭＡＣアドレス表示欄に表示されている行のＭ６）プルダウンメニューのデフォルト値を、当該ＭＡＣアドレスとする。そして、同じ行のＭ１）機器名称の入力ボックスのデフォルト値を、当該ＭＡＣアドレスに関連付けられて記憶部３５内の機器構成データテーブルに格納されている機器名称とする。Ｍ１）欄およびＭ６）欄のデフォルト値をこのような値とするのは、遠隔管理サーバ３０に登録済みのＭＡＣアドレスを有する空調機５０ａ，５０ｂ，・・・については、以前からＬＡＮ５ａ内に存在していたものと判断し得るからである。一方、遠隔管理サーバ３０に登録されていなかったＭＡＣアドレスを有する空調機５０ａ，５０ｂ，・・・については、新たにＬＡＮ５ａ内に追加されたものと判断し得るため、Ｍ１）欄のデフォルト値は空白となり、Ｍ６）欄のデフォルト値は「該当の機器なし」となる。図７の検索結果画面は、デフォルト画面である。ＭＡＣアドレス「１．００．１ａ」「１．００．１ｃ」「１．００．１ｄ」の空調機は、以前から存在している空調機であり、ＭＡＣアドレス「１．００．１ｂ」の空調機は、以前は存在していなかった空調機である。
【００７５】
そして、当該検索結果画面は、遠隔管理サーバ３０の通信部３１から初期設定ツール６０の通信部６１へと送信され、表示部６３上に表示される。
【００７６】
続いて、ステップＳ２３では、作業者は、入力部６４を操作して、ＬＡＮ５ａ内の現在の空調機５０ａ，５０ｂ，・・・の機器名称、ならびに、これらの空調機５０ａ，５０ｂ，・・・と交換元の空調機との対応関係を検索結果画面上に入力する。
【００７７】
より具体的には、作業者は、事前に用意した空調機５０ａ，５０ｂ，・・・の設置場所とＭＡＣアドレスとの対応関係についてのメモを参照しながら、現在ＬＡＮ５ａ内に存在している各空調機５０ａ，５０ｂ，・・・について、Ｍ１）の入力ボックスに適当な機器名称を入力し、Ｍ６）のプルダウンメニューのプルダウンリストの中から正しい交換元の空調機のＭＡＣアドレスを選択する。なお、以前ＬＡＮ５ａ内に存在していた空調機の中に対応付けるべき空調機が存在しない場合には、Ｍ６）のプルダウンメニュー上で「該当の機器なし」を選択する。そして、Ｍ６）のプルダウンメニュー上で別のＭＡＣアドレスを選択するたびに、同じ行のＭ１）の入力ボックス内の値は、当該ＭＡＣアドレスに対応する機器名称へと自動的に更新されるようになっている。なお、当該ＭＡＣアドレスに対応する機器名称は、記憶部３５内の機器構成データテーブルを参照して取得される。
【００７８】
また、空調機の機器名称としては、空調機を認識し易いよう、例えば、「応接室−北」「応接室−南」のように、当該空調機の設置場所を端的に表す名称を付けることが一般的である。
【００７９】
その後、作業者が、Ｍ４）のチェックボックスにチェックを入れた状態で検索結果画面上の「登録」ボタンを押すと、検索結果画面上で作業者が選択した情報のうち、チェックボックスにチェックの入っている空調機５０ａ，５０ｂ，・・・に関する情報のみが、初期設定ツール６０の通信部６１からインターネット６を介して遠隔管理サーバ３０の通信部３１へと送信される。また、「登録」ボタンが押されたときには、制御部６２は、通信部６１を介してＭ１）の入力ボックスに入力された機器名称を、対応するアダプタ２０ａ，２０ｂ，・・・に送信する。一方のアダプタ２０ａ，２０ｂ，・・・は、受け取った機器名称を記憶部２５に登録する。
【００８０】
続くステップＳ２４では、遠隔管理サーバ３０の制御部３２が、引き継ぎデータ選択画面を作成する。引き継ぎデータ選択画面は、交換元の空調機から新たな空調機５０ａ，５０ｂ，・・・へと引き継ぐべきデータの種類の選択を受け付ける画面である。したがって、ステップＳ２３でいずれの空調機５０ａ，５０ｂ，・・・も交換元の空調機と対応付けられなかった場合には、当該ステップＳ２４は省略されることになる。
【００８１】
当該引き継ぎデータ選択画面は、遠隔管理サーバ３０の通信部３１から初期設定ツール６０の通信部６１へと送信され、表示部６３上に表示される。そして、作業者は、引き継ぎデータ選択画面上で、交換元の空調機から引き継ぐべきデータの種類を選択する。もちろん、交換元の空調機に関連付けられている全てのデータを引き継ぐことも可能である。作業者が選択した情報は、初期設定ツール６０の通信部６１からインターネット６を介して遠隔管理サーバ３０の通信部３１へと送信される。
【００８２】
続くステップＳ２５では、ステップＳ２３，２４において作業者が選択した情報が記憶部３５の各種データテーブルに反映される。
【００８３】
より具体的には、このとき、記憶部３５内の機器構成データテーブルに、空調機５０ａ，５０ｂ，・・・の機器名称が空調機５０ａ，５０ｂ，・・・のＭＡＣアドレスに関連付けられて格納される。また、各種データテーブル内のレコードのうち、作業者が引き継ぐことを希望した種類のデータを格納しているレコードのリンク情報（図７のＤ１参照）が、以前の空調機から現在の空調機のＭＡＣアドレスに書き代えられる。
【００８４】
続く、ステップＳ２６では、初期設定ツール６０は、記憶部３５内の機器構成データテーブルに格納されている運転スケジュール等の空調機本体１０ａ，１０ｂ，・・・の制御データを遠隔管理サーバ３０からダウンロードし、それぞれ対応するアダプタ２０ａ，２０ｂ，・・・の記憶部２５に再登録する。
【００８５】
＜特徴＞
（１）
遠隔管理システム１では、ＬＡＮ５ａに以前に接続されていた旧空調機と、ＬＡＮ５ａに現在接続されている新空調機との対応関係を、作業者が選択可能になっている。また、新旧の空調機の対応関係を作業者に選択させるに際しては、新旧の空調機のＭＡＣアドレスの対の候補が作業者に提供されるようになっている。これにより、遠隔管理サーバ３０に登録されている旧空調機に関する各種データを新空調機に容易に引き継ぐことができる。
【００８６】
（２）
遠隔管理システム１では、新空調機が旧空調機から遠隔管理サーバ３０が保持している各種データを引き継ぐ際には、各種データと旧空調機とをリンクさせるリンク情報（列データＤ１）を更新するのみとしている。
【００８７】
（３）
遠隔管理システム１では、遠隔管理サーバ３０の保持している旧空調機に関する全データの中から新空調機に引き継がれるべきデータが、利用者に指定可能になっている（ステップＳ２４）。したがって、利用者は、引き継ぐべきデータのみを臨機応変に選択することができる。
【００８８】
＜変形例＞
（Ａ）
上記実施形態では、初期設定ツール６０は、空調機５０ａ，５０ｂ，・・・の初期設定のための特別なプログラム等が一切インストールされていない、Ｗｅｂブラウザを有する通常のパーソナルコンピュータとなっており、必要なプログラムは、遠隔管理サーバ３０から初期設定ツール６０にダウンロードされるようになっている。しかしながら、このようなプログラムの全部または一部が、もともと初期設定ツール６０にインストールされていてもよい。
【００８９】
（Ｂ）
上記実施形態において、アダプタ２０ａ，２０ｂ，・・・の有する機能がそれぞれ空調機本体１０ａ，１０ｂ，・・・の制御部１１に搭載されていてもよい。この場合、アダプタ２０ａ，２０ｂ，・・・は不要になる。
【００９０】
（Ｃ）
上記実施形態において、遠隔管理システム１の管理対象となる機器は空調機でなくてもよく、例えば、照明機器、給湯機器、防災設備等の他の種類の設備機器であってもよい。
【００９１】
（Ｄ）
上記実施形態において、遠隔管理システム１内での空調機５０ａ，５０ｂ，・・・の識別情報は、アダプタ２０ａ，２０ｂ，・・・のＭＡＣアドレスでなくてもよく、例えば、空調機本体１０ａ，１０ｂ，・・・の（制御部１１の）ＭＡＣアドレスであってもよい。また、空調機本体１０ａ，１０ｂ，・・・を束ねるゲートウェイが存在している場合には、当該ゲートウェイのＭＡＣアドレスが用いられてもよい。さらに、ＭＡＣアドレスではなく、ＩＰアドレスが用いられてもよい。
【００９２】
（Ｅ）
上記実施形態では、初期設定時に初期設定ツール６０を操作して空調機本体１０ａ，１０ｂ，・・・を試運転させることもできる。例えば、ステップＳ２３の後に実際に空調機本体１０ａ，１０ｂ，・・・を動作させてみることにより、各空調機本体１０ａ，１０ｂ，・・・に対する設定内容が正しいか否かを確かめることができる。
【００９３】
（Ｆ）
上記実施形態では、検索結果画面（図７参照）上には、ＬＡＮ５ａ内で発見された全ての空調機５０ａ，５０ｂ，・・・に対応するＭ１）〜Ｍ６）欄を含む行が表示されるようになっている。しかしながら、検索結果画面（図７参照）上に表示されるのは、ＬＡＮ５ａ内で発見された全ての空調機５０ａ，５０ｂ，・・・のうち、遠隔管理サーバ３０に登録されていなかったものだけでもよい。
【００９４】
また、上記実施形態では、Ｍ６）のプルダウンメニューのプルダウンリストには、遠隔管理サーバ３０に登録されている全ての空調機のＭＡＣアドレスが表示されるようになっている。しかしながら、当該プルダウンリストに表示されるＭＡＣアドレスは、遠隔管理サーバ３０に登録されている全ての空調機のＭＡＣアドレスのうち、ＬＡＮ５ａで発見されなかった空調機のものだけであってもよい。
【００９５】
（Ｇ）
上記実施形態において、空調機５０ａ，５０ｂ，・・・の初期設定時に、空調機５０ａ，５０ｂ，・・・が必ずしも遠隔管理サーバ３０に接続されている必要はなく、遠隔管理サーバ３０の機能の全部又は一部が初期設定ツール６０に搭載されていてもよい。また、反対に、空調機５０ａ，５０ｂ，・・・の初期設定時に、空調機５０ａ，５０ｂ，・・・が必ずしも初期設定ツール６０に接続されている必要はなく、初期設定ツール６０の機能の全部又は一部が遠隔管理サーバ３０に搭載されていてもよい。
【００９６】
（Ｈ）
上記実施形態では、初期設定ツール６０は、以前ＬＡＮ５ａ内に存在していた空調機のネットワーク情報を遠隔管理サーバ３０から取得している。しかしながら、空調機５０ａ，５０ｂ，・・・の設置工事前に初期設定ツール６０をＬＡＮ５ａに接続し、空調機５０ａ，５０ｂ，・・・のネットワーク情報を空調機５０ａ，５０ｂ，・・・から取得するようにしてもよい。
【産業上の利用可能性】
【００９７】
本発明は、旧管理対象機器に関する機器情報を新管理対象機器に容易に引き継ぐことができるという効果を有し、管理対象機器を管理するための機器管理システム、機器設定装置、機器管理装置、機器管理方法および機器管理プログラムとして有用である。
【図面の簡単な説明】
【００９８】
【図１】本発明の一実施形態にかかる遠隔管理システムの構成図。
【図２】空調機の構成図。
【図３】初期設定ツールの構成図。
【図４】遠隔管理サーバの構成図。
【図５】データテーブルのデータ構造を示す図。
【図６】空調機の初期設定の流れを示す図。
【図７】検索結果画面を示す図。
【符号の説明】
【００９９】
１  遠隔管理システム（機器管理システム）
２  物件
３  遠隔管理センタ
５ａ  ＬＡＮ
６  インターネット
１０ａ，１０ｂ，・・・  空調機本体
２０ａ，２０ｂ，・・・  アダプタ
３０  遠隔管理サーバ（遠隔管理装置）
３１  通信部（接続部）
３２  制御部（取得部、登録部）
３５  記憶部
５０ａ，５０ｂ，・・・  空調機
６０  初期設定ツール（設定装置、機器設定装置）
６２  制御部（登録部）
６３  表示部
６４  入力部
Ｄ１  リンク情報
【図１】
0004835566.tif 000002
【図２】
0004835566.tif 000003
【図３】
0004835566.tif 000004
【図４】
0004835566.tif 000005
【図５】
0004835566.tif 000006
【図６】
0004835566.tif 000007
【図７】
0004835566.tif 000008